(57)【要約】  医療用雄型接続装置１は、筒形状の雄型コネクタ１０と、雄型コネクタ１０に回転可能に連結された螺合筒２０とを有している。螺合筒２０を締め付け方向Ｔに回転することにより、雄型コネクタ１０の雄型ルアー部１１と雌型コネクタ２の雌型ルアー部２ａが接合される。雄型接続装置１はさらに、雄型コネクタ１０に対する螺合筒２０の緩み方向Ｌの回動を禁じる緩み防止機構４０を備えている。この緩み防止機構４０は、螺合筒２０の内周に形成されたラチェット歯４１と、雄型コネクタ１０に形成されて周方向に延びる弾性片４２と、弾性片４２の自由端から突出してラチェット歯４１に噛み合う係合爪４３とを有している。
2020071024.tif 000002
【特許請求の範囲】
【請求項１】
筒形状の雄型コネクタ（１０）と、上記雄型コネクタに回転可能に連結された螺合筒（２０）と、を備え、
上記雄型コネクタが、先端から基端に向かって順に配置された雄型ルアー部（１１）と支持部（１３）とを有し、
上記螺合筒（２０）が、先端から基端に向かって順に配置された螺合部（２１）と装着部（２２）とを有し、
上記螺合筒の上記装着部（２２）が上記雄型コネクタの上記支持部（１３）外周に回転可能に装着され、上記螺合部が内周に雌ねじ（２１ａ）を有するとともに上記雄型ルアー部（１１）の径方向外側に配置されている医療用雄型接続装置において、
さらに、上記雄型コネクタ（１０）と上記螺合筒（２０）との間に配置された緩み防止機構（４０）を備え、上記緩み防止機構は、上記雄型コネクタに対する上記螺合筒の緩み方向の回動を禁じるものであり、上記螺合筒の内周に全周にわたって形成されたラチェット歯（４１）と、上記雄型コネクタの外周に形成されて周方向に延びその自由端が上記雄型コネクタ（１０）の外周から離間した少なくとも１つの弾性片（４２）と、上記弾性片の自由端に形成されて径方向外方向に突出する係合爪（４３）とを有し、
上記螺合筒（２０）が締め付け方向の回動トルクを受けた時には、上記弾性片（４２）の径方向内方向の弾性変形を伴って上記係合爪（４３）が上記ラチェット歯（４１）を乗り越えることにより、上記螺合筒の上記雄型コネクタ（１０）に対する回動を許容し、
上記螺合筒（２０）が緩み方向の回動トルクを受けた時には、上記係合爪（４３）が上記ラチェット歯（４１）を係止することにより、上記螺合筒の上記雄型コネクタ（１０）に対する回動を禁じることを特徴とする医療用雄型接続装置。
【請求項２】
上記弾性片（４２）が上記螺合筒（２０）の締め付け方向に延びていることを特徴とする請求項１に記載の医療用雄型接続装置。
【請求項３】
上記雄型コネクタ（１０）の外周には、径方向外方向に突出する支持凸部（４４）が形成され、この支持凸部の先端から上記弾性片（４２）が周方向に延びていることを特徴とする請求項１または２に記載の医療用雄型接続装置。
【請求項４】
上記雄型コネクタ（１０）の外周には、面取された平坦面（１３ｘ）が形成され、
上記平坦面の周方向端部に上記支持凸部（４４）が連なっており、上記弾性片（４２）が上記平坦面に沿って延びるとともに上記平坦面から離間していることを特徴とする請求項３に記載の医療用雄型接続装置。
【請求項５】
上記雄型コネクタ（１０）の外周には上記弾性片（４２）の反対側において上記支持凸部（４４）に連なる補強隆起部（４５）が形成されていることを特徴とする請求項３に記載の医療用雄型接続装置。
【請求項６】
さらに、上記螺合筒の外周に回動可能に装着された操作筒（３０）と、上記螺合筒（２０）と上記操作筒との間に配置されたトルクリミット機構（５０）とを備え、
上記トルクリミット機構は、上記操作筒の締め付け方向の回転トルクを上記螺合筒に伝達し、上記回転トルクが設定トルクを越えた時に、上記操作筒を上記螺合筒に対して空回りさせ、
上記トルクリミット機構は、上記操作筒の内周に全周にわたって形成された係合歯（５１）と、上記螺合筒に形成された少なくとも１つの弾性変形部（５２）と、上記弾性変形部に形成されて径方向外方向に突出し上記係合歯に噛み合う第２の係合爪（５３）とを有し、上記弾性変形部の弾性係数が上記緩み防止機構の上記弾性片より大きいことを特徴とする請求項１に記載の医療用雄型接続構造。
【請求項７】
上記螺合筒（２０）の上記装着部（２２）の端部に上記弾性変形部（５２）が形成され、上記装着部の内周には上記弾性変形部に軸方向に隣接して上記緩み防止機構（４０）の上記ラチェット歯（４１）が形成されていることを特徴とする請求項６に記載の医療用雄型接続構造。
【発明の詳細な説明】
【技術分野】
【０００１】
本発明は、チューブ等の医療構成要素を接続するために雌型コネクタと協働して用いられる雄型接続装置に関する。
【背景技術】
【０００２】
チューブ等の医療構成要素同士を接続するための接続構造は種々のタイプがある。特許文献１に開示されているタイプの接続構造は、図１３、図１４に示すように、雄型接続装置１と雌型コネクタ２とを備えている。
雄型接続装置１は、雄型コネクタ１０と、この雄型コネクタ１０に回転可能に取り付けられた螺合筒２０とを有している。螺合筒２０は、雄型コネクタ１０の雄型ルアー部１１の径方向外側に位置する螺合部２１を有し、この螺合部２１の内周には雌ねじ２１ａが形成されている。
雌型コネクタ２は雌型ルアー部２ａを有しており、この雌型ルアー部２ａの先端部外周には上記雌ねじ２１ａに螺合する係合突起２ｃが形成されている。【０００３】
図１３に示すように、上記螺合筒２０の雌ねじ２１ａと雌型コネクタ２の係合突起２ｃを螺合させた状態で螺合筒２０を締め付け方向に回すと、雄型ルアー部１１と雌型ルアー部２ａが接合する。さらに螺合筒２０を締め付け方向に回すと雄型ルアー部１１と雌型ルアー部２ａが押圧力をもって強く接合し、十分なシール性能が得られる。【０００４】
図１３に示す螺合筒２０の締め付け状態では、雌ねじ２１ａのねじ山の奥側の面２１ｘが係合突起２ｃに強く当たり、雌型ルアー部２ａを雄型ルアー部１１に向かって引き付けている。雌ねじ２１ａのねじ山の奥側の面２１ｘと係合突起２ｃの摩擦により、螺合筒２０はこの雌型ルアー部２ａの引き付け状態を維持し、ひいては雄型ルアー部１１と雌型ルアー部２ａの接合状態を維持する。【０００５】
しかし、図１３に示すように、雌ねじ２１aのねじ山の開口端側の面２１ｙと係合突起２ｃとの間には軸方向のガタＧがあり、螺合筒２０は振動や意図しないトルク付与により図１４に示すように緩み方向に上記ガタＧに相当する分だけ回ることがある。これにより、雌ねじ２１ａのねじ山の開口端側の面２１ｙが係合突起２ｃに当たり、ねじ山の奥側の面２１ｘと係合突起２ｃとの間にガタＧが形成される。このような状況で、接続構造内を液体が流れると、その流体圧により、上記ガタＧの分だけ雄型ルアー部１１と雌型ルアー部２ａが離れる方向に変位し、その結果、十分なシール性を発揮できなくなり、これら雄型ルアー部１１と雌型ルアー部２ａの間から液体が漏れることがある。【０００６】
特許文献２の図１〜図６には、本発明者が開発したトルクリミット機構付きの医療用接続構造が開示されている。この医療用接続構造でも、上述した図１３，図１４の接続構造と同様に、螺合筒の緩み方向の回動を禁じることはできない。【０００７】
特許文献３の図７３〜図７５には、雄型コネクタと螺合筒との間に配置された緩み止め機構が開示されている。この緩み防止機構は、螺合筒の内周に全周にわたって等間隔をなして形成された多数の第１係合突起と、雄型コネクタの外周に形成された第２係合突起との噛み合いにより、螺合筒の緩みを禁じている。
【先行技術文献】
【特許文献】
【０００８】
【特許文献１】実開昭５９−８７８４０号公報
【特許文献２】国際公開ＷＯ２０１６/１５７９７４号公報
【特許文献３】特表２０１０−５２７２７６号公報
【発明の概要】
【発明が解決しようとする課題】
【０００９】
特許文献３の医療用接続構造では、雄型ルアー部と雌型ルアー部を接合するために螺合筒を締め付け方向に回す際に、緩み止め機構が比較的大きな抵抗となるため、円滑な接合作業が妨げられる。
【課題を解決するための手段】
【００１０】
本発明は、上記課題を解決するためになされたものであり、筒形状の雄型コネクタと、上記雄型コネクタに回転可能に連結された螺合筒とを備え、上記雄型コネクタが、先端から基端に向かって順に配置された雄型ルアー部と支持部とを有し、上記螺合筒が、先端から基端に向かって順に配置された螺合部と装着部とを有し、上記螺合筒の上記装着部が上記雄型コネクタの上記支持部外周に回転可能に装着され、上記螺合部が内周に雌ねじを有するとともに上記雄型ルアー部の径方向外側に配置されている医療用雄型接続装置において、
さらに、上記雄型コネクタと上記螺合筒との間に配置された緩み防止機構を備え、上記緩み防止機構は、上記雄型コネクタに対する上記螺合筒の緩み方向の回動を禁じるものであり、上記螺合筒の内周に全周にわたって形成されたラチェット歯と、上記雄型コネクタの外周に形成されて周方向に延びその自由端が上記雄型コネクタの外周から離間した少なくとも１つの弾性片と、上記弾性片の自由端に形成されて径方向外方向に突出する係合爪とを有し、
上記螺合筒が締め付け方向の回動トルクを受けた時には、上記弾性片の径方向内方向の弾性変形を伴って上記係合爪が上記ラチェット歯を乗り越えることにより、上記螺合筒の上記雄型コネクタに対する回動を許容し、上記螺合筒が緩み方向の回動トルクを受けた時には、上記係合爪が上記ラチェット歯を係止することにより、上記螺合筒の上記雄型コネクタに対する回動を禁じることを特徴とする。【００１１】
上記構成によれば、雄型ルアー部が雌型コネクタの雌型ルアー部に接合された状態で、緩み止め機構のラチェット歯と係合爪の噛み合いにより螺合筒が雄型コネクタに対して緩むのを禁じることができ、ルアー部同士の良好な接合状態を維持できる。螺合筒の締め付けの際に、弾性片の径方向内方向への弾性変形を伴って、係合爪が螺合筒のラチェット歯を乗り越えるので、大きな抵抗が生じず、接合作業を円滑に行なうことができる。また、弾性片が周方向に延びているので、螺合筒に締め付け方向または緩み方向の回転トルクが付与された時に、弾性片には捩じる力が付与されず、弾性片の強度を維持できる。【００１２】
好ましくは、上記弾性片が上記螺合筒の締め付け方向に延びている。
上記構成によれば、螺合筒が締め付け方向の回転トルクを付与された時に、弾性変形し易く、より一層接合作業を楽にすることができる。また、螺合筒が緩み方向の回転トルクを付与された時に、係合爪のラチェット歯への噛み合いが深まるため、螺合筒の雄型コネクタに対する緩みをより一層確実に防止することができる。【００１３】
好ましくは、上記雄型コネクタの外周には、径方向外方向に突出する支持凸部が形成され、この支持凸部の先端から上記弾性片が周方向に延びている。
上記構成によれば、螺合筒を締め付け方向へ回す際に、弾性片は弾性変形し易く、より一層接合作業を楽にすることができる。【００１４】
好ましくは、上記雄型コネクタの外周には、面取された平坦面が形成され、上記平坦面の周方向端部に上記支持凸部が連なっており、上記弾性片が上記平坦面に沿って延びるとともに上記平坦面から離間している。
上記構成によれば、弾性片を雄型コネクタの外周から径方向外方向に大きく突出させずに、径方向内方向への弾性変形が可能である。【００１５】
好ましくは、上記雄型コネクタの外周には上記弾性片の反対側において上記支持凸部に連なる補強隆起部が形成されている。
上記構成によれば、螺合筒に強い回転トルクが作用して、弾性片に支持凸部に向かう強い力が加わった時でも、補強隆起部で受け止めることができ、弾性片および支持凸部の強度を確実に維持することができる。【００１６】
好ましくは、さらに、上記螺合筒の外周に回動可能に装着された操作筒と、上記螺合筒と上記操作筒との間に配置されたトルクリミット機構とを備え、上記トルクリミット機構は、上記操作筒の締め付け方向の回転トルクを上記螺合筒に伝達し、上記回転トルクが設定トルクを越えた時に、上記操作筒を上記螺合筒に対して空回りさせ、上記トルクリミット機構は、上記操作筒の内周に全周にわたって形成された係合歯と、上記螺合筒に形成された少なくとも１つの弾性変形部と、上記弾性変形部に形成されて径方向外方向に突出し上記係合歯に噛み合う第２の係合爪とを有し、上記弾性変形部の弾性係数が上記緩み防止機構の上記弾性片より大きい。
上記構成によれば、螺合筒に過剰なトルクが付与されず、雄型ルアー部と雌型ルアー部が離脱不能な程に噛み付く等の不都合を回避できる。【００１７】
好ましくは、上記螺合筒の上記装着部の端部に上記弾性変形部が形成され、上記装着部の内周には上記弾性変形部に軸方向に隣接して上記緩み防止機構の上記ラチェット歯が形成されている。
【発明の効果】
【００１８】
本発明によれば、螺合筒の締め付け方向の回転の際に緩み防止機構の抵抗が少なく、また、螺合筒に締め付け方向や緩み方向の回転トルクが付与されても、緩み防止機構の弾性片は強度を維持することができる。
【図面の簡単な説明】
【００１９】
【図１】本発明の第１実施形態に係る医療用雄型接続装置と、雌型コネクタとを示す斜視図である。
【図２Ａ】上記雄型接続装置の縦断面図である。
【図２Ｂ】上記雄型接続装置を上記雌型コネクタに接続した状態で示す縦断面図である。
【図３】上記雄型接続装置の分解斜視図である。
【図４】上記雄型接続装置を図１とは異なる方向から見た斜視図である。
【図５】図４と同じ方向から見た上記雄型接続装置の分解斜視図である。
【図６Ａ】上記雄型接続装置の雄型コネクタを示す平面図である。
【図６Ｂ】図６ＡにおけるＢ−Ｂ矢視断面図である。
【図６Ｃ】図６ＢにおけるＣ−Ｃ矢視断面図である。
【図７Ａ】上記雄型接続装置の螺合筒を示す平面図である。
【図７Ｂ】図７ＡにおけるＢ−Ｂ矢視断面図である。
【図７Ｃ】図７ＢにおいてＣ方向から見た図である。
【図８Ａ】上記雄型接続装置の操作筒の縦断面図である。
【図８Ｂ】図８ＡにおいてＢ方向から見た図である。
【図９】図２ＢにおけるIX−IX矢視断面図である。
【図１０Ａ】図９の緩み防止機構の要部を、螺合筒に回転トルクが付与されていない状態で示す拡大断面図である。
【図１０Ｂ】螺合筒が締め付け方向の回転トルクを受けた時の状態で示す上記緩み防止機構の要部拡大断面図である。
【図１０Ｃ】螺合筒が緩み方向の回転トルクを受けた時の状態で示す上記緩み防止機構の要部拡大断面図である。
【図１１】本発明の第２実施形態を示す図６Ｃ相当図である。
【図１２】同第２実施形態の雄型コネクタを示す斜視図である。
【図１３】雄型接続装置と雌型コネクタを備えた従来の医療用接続構造を示す縦断面図であり、螺合筒の締め付けにより雄型ルアー部と雌型ルアー部の接合が完了した状態を示す。
【図１４】上記従来の医療用接続構造を示す縦断面図であり、螺合筒が雄型コネクタに対して緩んだ状態を示す。
【発明を実施するための形態】
【００２０】
以下、本発明の第１実施形態に係る医療用雄型接続装置について、図１〜図１０を参照しながら説明する。本実施形態において図１３、図１４に示す従来装置に対応する構成部には同番号を付す。
図１に示すように雄型接続装置１は、雌型コネクタ２と協働して、薬液や血液等の液体を流すチューブ５、５’（第１、第２の医療構成要素）を接続するものである。雄型接続装置１の各構成部材および雌型コネクタ２は樹脂により形成されている。
【００２１】
最初に、構成が簡単な雌型コネクタ２について図１、図２Ｂを参照しながら説明する。雌型コネクタ２は、細長い筒形状をなし、その軸方向一端部（先端部）に雌型ルアー部２ａを有し、他端部（基端部）に連結部２ｂを有している。雌型ルアー部２ａの内面は先端に向かって径が大きくなるような緩やかなテーパをなしている。雌型ルアー部２ａの先端部外周には、雄ねじの役割を持つ一対の係合突起２ｃが周方向に１８０°離れて形成されている。連結部２ｂにはチューブ５’の端部が挿入固定される。
【００２２】
図２Ａ，図３〜図５に示すように、上記雄型接続装置１は、雄型コネクタ１０と、この雄型コネクタ１０の外周に回転可能かつ軸方向移動不能に取り付けられた螺合筒２０と、螺合筒２０の外周に回転可能かつ軸方向移動不能に取り付けられた操作筒３０とを備えている。
【００２３】
図６Ａ，図６Ｂに示すように、上記雄型コネクタ１０は細長い筒形状をなし、その軸方向一端部（先端部）に雄型ルアー部１１を有し、他端部（基端部）に連結部１２を有し、中間部に支持部１３を有している。雄型ルアー部１１の外面は先端に向かって径が小さくなるような緩やかなテーパをなしている。この雄型ルアー部１１の外面のテーパ角は雌型ルアー部２ａの内面のテーパ角と実質的に等しい。連結部１２にはチューブ５の端部が挿入固定される。
【００２４】
図７Ａ，図７Ｂに示すように、上記螺合筒２０は、軸方向の一端部（先端部）に螺合部２１を有し、他端部（基端部）に装着部２２を有している。螺合部２１の内周には雌ねじ２１ａが形成されている。図２Ａに示すように、装着部２２が雄型コネクタ１０の支持部１３に回転可能かつ軸方向移動不能に装着されている。
【００２５】
図１、図２Ａに示すように、上記螺合筒２０の雄型コネクタ１０への装着状態において、螺合筒２０の螺合部２１は雄型ルアー部１１の径方向外側に配置されており、螺合部２１と雄型ルアー部１１の間には環状の挿入空間２５が形成されている。雄型コネクタ１０の支持部１３の小径部と螺合筒２０の装着部２２との間には、環状空隙２６が形成されている。
【００２６】
図２Ａに示すように、雄型接続装置１は、上記環状空隙２６に配置された緩み防止機構４０を備えている。この緩み防止機構４０は、図５，図７Ｂ，図７Ｃに示すように螺合筒２０の装着部２２の内周に全周にわたって形成されたラチェット歯４１と、図３，図６Ａ〜図６Ｃに示すように雄型コネクタ１０の支持部１３の小径部に形成された一対の弾性片４２とを有している。
【００２７】
ラチェット歯４１は、螺合筒２０の装着部２２において、基端から所定間隔離れた部位に形成されている。図１０Ａに示すように、ラチェット歯４１は、後述する締め付け方向Ｔ側が傾斜面４１ａをなし、緩み方向Ｌ側が急峻面４１ｂをなしている。
【００２８】
雄型コネクタ１０の支持部１３の円筒面をなす小径部には、面取された一対の平坦面１３ｘが形成されている。一対の平坦面１３ｘは径方向に対峙し、互いに平行をなしている。
上記支持部１３の平坦面１３ｘの周方向端部（緩み方向Ｌ側の端部）から、径方向、外方向に支持凸部４４が突出しており、この支持凸部４４の先端から、上記弾性片４２が平坦面１３ｘと略平行をなして締め付け方向Ｔ（周方向）に延びている。これら支持凸部４４と弾性片４２は略Ｌ字形をなしている。弾性片４２は平坦面１３ｘから離間しており、弾性片４２の先端（自由端）には、径方向外方向に突出する係合爪４３が形成されている。
【００２９】
図９，図１０Ａに示すように、一対の係合爪４３はラチェット歯４１に噛み合っている。図１０Ａに示すように、係合爪４３は、緩み方向Ｌ側が傾斜面４３ａをなし，締め付け方向Ｔ側が急峻面４３ｂをなしており、ラチェット歯４１の傾斜面４１ａと係合爪４３の傾斜面４３ａが周方向に対峙し、急峻面４１ｂ、４３ｂが周方向に対峙している。
【００３０】
図２Ａに示すように、本実施形態の雄型接続装置１は、螺合筒２０と操作筒３０との間に配置されたトルクリミット機構５０をも備えている。トルクリミット機構５０は、図５、図８に示すように操作筒３０の基端部内周に全周にわたって形成された係合歯５１と、図３、図５、図７に示すように螺合筒２０の基端部に形成された弾性変形部５２と、を備えている。
図８Ｂ、図９に示すように、係合歯５１は緩み防止機構４０のラチェット歯４１と同様に、締め付け方向Ｔ側が傾斜面５１ａをなし、緩み方向Ｌ側が急峻面５１ｂをなしている。
【００３１】
図３、図５、図７に示すように、螺合筒２０の装着部２２の端部には、周方向に１８０°離れて一対のスリット５４が形成されている。このスリット５４は、装着部２２の端から軸方向に延びている。このスリット５４に隣接した部位が弾性変形部５２として提供される。弾性変形部５２は緩み防止機構４０のラチェット歯４１に軸方向に隣接している。弾性変形部５２の弾性係数は緩み防止機構４０の弾性片４２よりはるかに大きい。
【００３２】
各弾性変形部５２の外面には、スリット５４に隣接した位置に係合爪５３（第２の係合爪）が形成されるとともに、この係合爪５３から上記係合歯５１の１ピッチ分だけ周方向に離れたもう一つの係合爪５３（第２の係合爪）が形成されている。図９に示すように、これら係合爪５３は径方向外方向に突出して上記係合歯５１と噛み合っている。
【００３３】
係合爪５３は、緩み防止機構４０の係合爪４３と同様に、緩み方向Ｌ側が傾斜面５３ａをなし，締め付け方向Ｔ側が急峻面５３ｂをなしており、噛み合い状態において、係合歯５１の傾斜面５１ａと係合爪５３の傾斜面５３ａが周方向に対峙し、急峻面５１ｂ、５３ｂが周方向に対峙している。
【００３４】
上記構成をなす雄型接続装置１に雌型コネクタ２を近づけ、雄型ルアー部１１を雌型ルアー部２ａに挿入する。上記挿入は、上記雌型コネクタ２の係合突起２ｃが雄型接続装置１の螺合筒２０の雌ねじ２１ａに当たるまで抵抗なく進められる。
【００３５】
次に、操作筒３０を締め付け方向Ｔに回すと、操作筒３０のトルクがトルクリミット機構５０を介して螺合筒２０に伝達される。トルクリミット機構５０の弾性変形部５２の弾性係数が大きいので、トルクリミット機構５０の係合歯５１の傾斜面５１ａと係合爪５３の傾斜面５３ａが当たった状態で、係合歯５１と係合爪５３の噛み合い状態が維持されており、操作筒３０と螺合筒２０は一緒に回る。
【００３６】
上記のように螺合筒２０が締め付け方向Ｔに回る時に、図１０Ｂに示すように緩み防止機構４０の係合爪４３の傾斜面４３ａがラチェット歯４１の傾斜面４１ａを滑るため、係合爪４３は螺合筒２０のラチェット歯４１を乗り越えることができる。この際、弾性片４２の径方向内方向の弾性変形を伴うため、螺合筒２０は緩み防止機構４０からの大きな抵抗を受けることなく雄型コネクタ１０に対して回すことができる。
【００３７】
上記のように螺合筒２０を締め付け方向Ｔに回すことにより、雌ねじ２１ａと係合突起２ｃとの螺合が進み、雄型ルアー部１１と雌型ルアー部２ａが押圧力をもって接合する。このようにして、十分なシール性能で雄型ルアー部１１と雌型ルアー部２ａを接合することができる。この状態では、図２Ｂに示すように、螺合筒２０の雌ねじ２１ａのねじ山の奥側の面２１ｘが、雌型コネクタ２の係合突起２ｃに当たっている。
【００３８】
さらに操作筒３０を回そうとすると、雄型ルアー部１１と雌型ルアー部２ａの接合部から大きな抵抗を受け、回転トルクが設定トルクを超える。すると、係合爪５３の傾斜面５３ａが係合歯５１の傾斜面５１ａを滑り、弾性変形部５２の径方向内方向の弾性変形を伴って、係合爪５３が操作筒３０の係合歯５１を乗り越える。このように、操作筒３０が螺合筒２０に対して空回りし、操作筒３０の回転トルクが螺合筒２０に伝達されないため、螺合筒２０に過剰なトルクが付与されず、雄型ルアー部１１と雌型ルアー部２ａとの間の押圧力が過剰になるのを回避できる。その結果、雄型ルアー部１１や雌型ルアー部２ａの破損を防止でき、雄型ルアー部１１と雌型ルアー部２ａが離脱不能な程度に噛み付くのを回避できる。
【００３９】
上記の接合状態において、図１０Ｃに示すように、螺合筒２０に意図しない緩み方向Ｌのトルクが加わっても、螺合筒２０は雄型コネクタ１０に対して緩み方向の回動を阻止される。ラチェット歯４１の急峻面４１ｂが係合爪４３の急峻面４３ｂに係止されているからである。
【００４０】
上記のように雄型ルアー部１１と雌型ルアー部２ａの接合完了後に、螺合筒２０が雄型コネクタ１０に対して緩み方向に回わらないので、図２Ｂに示すように、螺合筒２０の雌ねじ２１ａのねじ山の奥側の面２１ｘが、雌型コネクタ２の係合突起２ｃに当たった状態が維持される。その結果、流体の圧力が高い場合でも、雌型ルアー部２ａと雄型ルアー部１１が離れる方向に変位することがなく、十分なシール性能を維持でき、ひいては流体の漏れを禁じることができる。
【００４１】
上記のようにしてチューブ５、５’を接続した後、接続の解除が必要になった場合には、操作筒３０を緩み方向Ｌに回す。すると、トルクリミット機構５０において、操作筒３０の係合歯５１の急峻面５１ｂが螺合筒２０の係合爪５３の急峻面５３ｂに当たり、螺合筒２０が操作筒３０と一緒に緩み方向に回る。これと同時に、緩み防止機構４０において、螺合筒２０のラチェット歯４１の急峻面４１ｂが雄型コネクタ１０の係合片４３の急峻面４３ｂに当たり、雄型コネクタ１０も螺合筒２０と一緒に回る。その結果、雄型ルアー部１１と雌型ルアー部２ａの接合状態が解除される。
【００４２】
本実施形態では、緩み防止機構４０の弾性片４２が周方向に延びているため、次の利点がある。
上述したように螺合筒２０が緩み方向Ｌの回転トルクを受けた時、ラチェット歯４１の急峻面４１bと係合爪４３の急峻面４３ｂの係止により、弾性片４２には周方向の力が作用する。また、螺合筒２０が締め付け方向Ｔの回転トルクを受けた時にも、ラチェット歯４１の傾斜面４１ａと係合爪４３の傾斜面４３ａの摩擦によって、弾性片４２には周方向の力が作用する。しかし、弾性片４２は周方向に延びているため、上記のような周方向の力によって捩れが生じず、弾性片４２の強度を維持することができる。
【００４３】
本実施形態では、弾性片４２が周方向に締め付け方向Ｔに延びているので、螺合筒２０が締め付け方向Ｔの回転トルクを付与された時に、弾性変形し易く、より一層接合作業を楽にすることができる。また、螺合筒２０が緩み方向Ｌの回転トルクを付与された時に、係合爪４３を介して弾性片４２には弾性片４３を起こす方向の力が付与され、これにより係合爪４３のラチェット歯４１への噛み合いが深まるため、螺合筒２０の雄型コネクタ１０に対する緩みをより一層確実に防止することができる。
【００４４】
本実施形態では、雄型コネクタ１０の支持部１３の外周から径方向、外方向に突出する支持凸部４４が形成され、この支持凸部４４の先端から弾性片４２が周方向に延びており、主として支持凸部４４，弾性片４２の交叉部を支点として弾性片４２が径方向内方向に弾性変形するので、螺合筒２０を締め付け方向Ｔへ回す際の抵抗をより一層小さくすることができる。
【００４５】
本実施形態では、弾性片４２は雄型コネクタ１０の支持部１３の平坦面１３ｘに沿って配置されているので、弾性片４２を支持部１３から径方向外方向に大きく突出させずに、径方向内方向への弾性変形が可能である。
【００４６】
次に、本発明の第２実施形態について図１１、図１２を参照しながら説明する。本実施形態は、雄型コネクタ１０の要部を除いて他の構成要素は第１実施形態と同じである。本実施形態の雄型コネクタ１０では、支持部１３の小径部外周に補強隆起部４５が形成されている。この補強隆起部４５は、弾性片４２の反対側において支持凸部４４に連なっている。
【００４７】
本実施形態によれば、螺合筒２０に強い回転トルクが作用して、弾性片４２に支持凸部４４に向かう強い力が加わった時でも、補強隆起部４５で受け止めることができ、弾性片４２および支持凸部４４の強度を確実に維持することができる。
【００４８】
本発明は上記実施形態に制約されず、種々の態様が可能である。
緩み防止機構の弾性片は周方向において緩み方向に延びていてもよい。
操作筒とトルクリミット機構は省いてもよい。
雄型コネクタの装着部と連結部が分離して互いに回動可能であってもよい。
本発明を三方活栓とチューブの接続に適用してもよいし、あらゆる医療用構成要素の接続に適用することができる。
【産業上の利用可能性】
【００４９】
本発明は、医療用の接続構造に用いられる雄型接続装置に適用することができる。
【図１】
2020071024.tif 000003
【図２Ａ】
2020071024.tif 000004
【図２Ｂ】
2020071024.tif 000005
【図３】
2020071024.tif 000006
【図４】
2020071024.tif 000007
【図５】
2020071024.tif 000008
【図６Ａ】
2020071024.tif 000009
【図６Ｂ】
2020071024.tif 000010
【図６Ｃ】
2020071024.tif 000011
【図７Ａ】
2020071024.tif 000012
【図７Ｂ】
2020071024.tif 000013
【図７Ｃ】
2020071024.tif 000014
【図８Ａ】
2020071024.tif 000015
【図８Ｂ】
2020071024.tif 000016
【図９】
2020071024.tif 000017
【図１０Ａ】
2020071024.tif 000018
【図１０Ｂ】
2020071024.tif 000019
【図１０Ｃ】
2020071024.tif 000020
【図１１】
2020071024.tif 000021
【図１２】
2020071024.tif 000022
【図１３】
2020071024.tif 000023
【図１４】
2020071024.tif 000024
【手続補正書】
【提出日】令和2年11月27日(2020.11.27)
【手続補正１】
【補正対象書類名】特許請求の範囲
【補正対象項目名】請求項６
【補正方法】変更
【補正の内容】
【請求項６】
さらに、上記螺合筒の外周に回動可能に装着された操作筒（３０）と、上記螺合筒（２０）と上記操作筒との間に配置されたトルクリミット機構（５０）とを備え、
上記トルクリミット機構は、上記操作筒の締め付け方向の回転トルクを上記螺合筒に伝達し、上記回転トルクが設定トルクを越えた時に、上記操作筒を上記螺合筒に対して空回りさせ、
上記トルクリミット機構は、上記操作筒の内周に全周にわたって形成された係合歯（５１）と、上記螺合筒に形成された少なくとも１つの弾性変形部（５２）と、上記弾性変形部に形成されて径方向外方向に突出し上記係合歯に噛み合う第２の係合爪（５３）とを有し、上記弾性変形部の弾性係数が上記緩み防止機構の上記弾性片より大きいことを特徴とする請求項１に記載の医療用雄型接続装置。
【手続補正２】
【補正対象書類名】特許請求の範囲
【補正対象項目名】請求項７
【補正方法】変更
【補正の内容】
【請求項７】
上記螺合筒（２０）の上記装着部（２２）の端部に上記弾性変形部（５２）が形成され、上記装着部の内周には上記弾性変形部に軸方向に隣接して上記緩み防止機構（４０）の上記ラチェット歯（４１）が形成されていることを特徴とする請求項６に記載の医療用雄型接続装置。
【国際調査報告】
2020071024.tif 000025
2020071024.tif 000026
2020071024.tif 000027
2020071024.tif 000028